(57)【特許請求の範囲】
【請求項１】
天板と、その一縁部を前記天板の一縁部よりも巾方向に突出しない位置に取り付けたパネル部材とを少なくとも具備してなり、前記天板の一縁部を対象物に衝き当てて配置するテーブルにおいて、
前記天板の一縁部を対象物の対応位置に略密接させて衝き合わせた場合に、前記パネル部材の一縁部と前記対象物の対応位置間に介在し、両者間に隙間が生じることを防止する隙間防止部材を前記パネル部材の両側縁部からそれぞれ突出させて取り付けてあることを特徴とするテーブル。
【請求項２】
天板と、その一縁部を前記天板の一縁部よりも巾方向に突出しない位置に取り付けたパネル部材とを少なくとも具備してなり、前記天板の一縁部を対象物に衝き当てて配置するテーブルにおいて、
前記天板の一縁部を対象物の対応位置に略密接させて衝き合わせた場合に、前記パネル部材の一縁部と前記対象物の対応位置間に介在し、両者間に隙間が生じることを防止する隙間防止部材を設けているとともに、
隙間防止部材が、天板の一縁部と対象物が衝き当たる位置で、両者間に生じる隙間の形状に略対応して変形し、隙間が生じることを防止するものであることを特徴とするテーブル。
【請求項３】
隙間防止部材が、前記パネル部材の一縁部から前記対象物に向かって突出してなり、前記天板の一縁部と対象物が衝き当たる前に優先して前記対象物の対応位置に衝き当たり、前記天板の一縁部と対象物が衝き当たる位置で前記隙間の形状に略対応して弾性変形する弾性体であることを特徴とする請求項１又は２記載のテーブル。
【請求項４】
隙間防止部材が、中空体状のものであることを特徴とする請求項１、２又は３記載のテーブル。
【請求項５】
隙間防止部材が、伸縮可能な蛇腹状のものであることを特徴とする請求項１、２、３又は４記載のテーブル。
【請求項６】
対象物が、天板とパネル部材とを少なくとも具備してなる他のテーブルであることを特徴とする請求項１、２、３、４又は５記載のテーブル。
【請求項７】
天板と、その一縁部を前記天板の一縁部よりも巾方向に突出しない位置に取り付けたパネル部材とを少なくとも具備してなり、前記天板の一縁部を対象物に衝き当てて配置するテーブルにおいて、
前記天板の一縁部を対象物の対応位置に略密接させて衝き合わせた場合に、前記パネル部材の一縁部と前記対象物の対応位置間に介在し、両者間に隙間が生じることを防止する隙間防止部材を設けているとともに、
対象物が、天板とパネル部材とを少なくとも具備してなる他のテーブルであり、
隙間防止部材が、一方のパネル部材の一縁部に設けた第１の隙間防止部材要素と、他方のパネル部材の一縁部に設けた第２の隙間防止部材要素であり、これら第１、第２の隙間防止部材同士が天板同士の衝き合わせ位置で前記パネル部材の肉厚方向に沿って略重合して隙間を防止するものであることを特徴とするテーブル。
【請求項８】
第１の離間防止部材要素が、一方のパネル部材の一縁部から他方のパネル部材の対向縁部に向かって突出した第１の凸部を具備してなり、第２の離間防止部材要素が、他方のパネル部材の一縁部から一方のパネル部材の対向縁部に向かって前記第１の凸部と干渉しない位置に突出した第２の凸部を具備してなり、これら第１、第２の凸部が天板同士の衝き合わせ位置で前記パネル部材の肉厚方向に沿って略重合するものであることを特徴とする請求項７記載のテーブル。
【請求項９】
第１の凸部が、パネル部材の肉厚方向に沿って一端から他端側へと突出量が漸次増加する平面視略三角形状のものであり、第２の凸部が、前記第１の凸部の突出量と略等しい割合でその突出量がパネル部材の肉厚方向に沿って他端から一端側へと漸次増加する平面視略三角形状のものであることを特徴とする請求項８記載のテーブル。
【請求項１０】
パネル部材が、下肢空間を隠蔽する位置に設けてなる幕板であることを特徴とする請求項１、２、３、４、５、６、７、８又は９記載のテーブル。
【請求項１１】
パネル部材が、天板から起立して設けてあるデスクトップパネルであることを特徴とする請求項１、２、３、４、５、６、７、８又は９記載のテーブル。
【請求項１２】
パネル部材が、天板の一縁部に、天板の作業領域を拡張するべくその上面を天板面と略面一な状態で配置した補助天板であることを特徴とする請求項１、２、３、４、５、６、７、８又は９記載のテーブル。
【発明の詳細な説明】
【０００１】
【発明の属する技術分野】
本発明は、オフィス等で好適に使用されるテーブルに関するものである。
【０００２】
【従来の技術】
近時におけるテーブルの利用形態として、通常は個別に使用されているものを必要に応じ直線状やサークル状等に隣設させることによって、大人数が使用できる会議用テーブルを構成し得るようにしている例がある。このような利用形態によれば、会議テーブル用の大型天板を導入することなく、平素からそのような大型天板がオフィスの一角を占有するような不都合も解消することができる。
【０００３】
この種の会議テーブルを構成するべく、個々のテーブル同士を隣り合わせて配置する場合には、天板同士をそれらの対向縁部が隙間なく略密接に当たるように衝き合わせるようにしている。
【０００４】
一方、この種のテーブルで、下肢空間を隠蔽するべく、天板の下面の後端部近傍に天板と略等しい巾寸法を有する幕板を設けているものがある。
【０００５】
【発明が解決しようとする課題】
前述したような幕板を有するテーブルの場合、天板と同様に、幕板同士も隙間なく略密接に衝き合わされることが理想である。しかしながら、加工誤差や取付誤差などの問題により、実際には、天板同士及び幕板同士の両方を略密接に衝き合わせることは非常に困難である。したがって、通常は、隙間を生じた場合の弊害が大きい天板の方を優先し、幕板の巾寸法を天板よりも若干短くすることで天板同士を確実に略密接に衝き当てるようにしている。そのため、隣設する幕板間に隙間が生じることとなり、隙間を介して向こう側の景色が露見し見栄えが悪い、光が漏れるなどの不具合を生じていた。
【０００６】
また、このような問題は前述した幕板だけでなく、天板面から上方に起立したデスクトップパネルや、天板の前縁部にその上面が天板面と略面一となるように設けた補助天板の場合にも同様に生じる問題であった。さらに、この問題は、据え付け式のテーブルよりも、特に、移動可能で選択的に複数を隣設配置して大型のテーブルを形成するようなものの場合に顕著に生じるものであった。
【０００７】
【課題を解決するための手段】
上記の問題点を解決するために、本発明は、前記天板の一縁部を前記対象物の対応位置に略密接して衝き合わせた場合に、前記パネル部材の一縁部と前記対象物の対応位置間に隙間が生じることを防止する隙間防止部材を設けている。
【０００８】
【発明の実施の形態】
すなわち、本発明は、天板と、その一縁部を前記天板の一縁部よりも巾方向に突出しない位置に取り付けたパネル部材とを少なくとも具備してなり、前記天板の一縁部を対象物に衝き当てて配置するテーブルにおいて、前記天板の一縁部を対象物の対応位置に略密接させて衝き合わせた場合に、前記パネル部材の一縁部と前記対象物の対応位置間に介在し、両者間に隙間が生じることを防止する隙間防止部材を前記パネル部材の両側縁部からそれぞれ突出させて取り付けてあることを特徴とするテーブルである。
【０００９】
このような構成のものであると、例えば、対象物が、天板とパネル部材とを具備する他のテーブルである場合には、天板同士の縁部を衝き合わせた場合に、前記隙間防止部材によりパネル部材間に隙間を生じることを有効に防止することができる。そのため、パネル部材が、幕板やデスクトップパネルである場合には、下肢空間や作業空間を隙間なく好適に隠蔽し得るとともに、光漏れなども防止することができる。一方、パネル部材が、補助天板等である場合には、外観が向上することは勿論、隙間を介して筆記具等を落下させたりすること等が有効に防止される。
【００１０】
また、本発明の他の態様として、天板と、その一縁部を前記天板の一縁部よりも巾方向に突出しない位置に取り付けたパネル部材とを少なくとも具備してなり、前記天板の一縁部を対象物に衝き当てて配置するテーブルにおいて、前記天板の一縁部を対象物の対応位置に略密接させて衝き合わせた場合に、前記パネル部材の一縁部と前記対象物の対応位置間に介在し、両者間に隙間が生じることを防止する隙間防止部材を設けているとともに、隙間防止部材が、天板の一縁部と対象物が衝き当たる位置で、両者間に生じる隙間の形状に略対応して変形し、隙間が生じることを防止するものが挙げられる。
【００１１】
この場合には、例えば、加工誤差等が原因で製造時に各天板やパネル部材毎に若干の寸法違いが生じたり、床の不陸等によりテーブルが若干傾くなどして、パネル部材と対象物間に形成される隙間の形状に差異や変化が生じても、隙間防止部材自身が変形することにより前記隙間の形状の差異や変化を有効に吸収することが可能である。したがって、各テーブルに柔軟に対応することができることは勿論、床の不陸がある場合にも有効に隙間を解消することができる。
【００１２】
さらに、この隙間防止部材の好適な実施の形態としては、隙間防止部材が、前記パネル部材の一縁部から前記対象物に向かって突出してなり、前記天板の一縁部と対象物が衝き当たる前に優先して前記対象物の対応位置に衝き当たり、前記天板の一縁部と対象物が衝き当たる位置で前記隙間の形状に略対応して弾性変形する弾性体であるものが挙げられる。
【００１３】
この場合には、緩衝作用が期待でき、テーブルが移動可能なものである場合には、バンパー部材の役割を果たし得る。さらに、パネル部材と対象物を衝き合わせる場合に、両者間に使用者が指を挟んで怪我をすること等も有効に防止し得る。
【００１４】
さらに、この隙間防止部材の好適な実施の形態としては、隙間防止部材が、中空体状のものや、伸縮可能な蛇腹状のものを挙げることができる。
【００１５】
複数のテーブルを隣設配置して大型のテーブルを形成する際等に、天板間の隙間を解消した状態でパネル部材間の隙間も有効に解消し、テーブル全体の見栄えを向上させるには、対象物が、天板とパネル部材とを少なくとも具備してなる他のテーブルであることが望ましい。
【００１６】
本発明のさらに他の態様としては、天板と、その一縁部を前記天板の一縁部よりも巾方向に突出しない位置に取り付けたパネル部材とを少なくとも具備してなり、前記天板の一縁部を対象物に衝き当てて配置するテーブルにおいて、前記天板の一縁部を対象物の対応位置に略密接させて衝き合わせた場合に、前記パネル部材の一縁部と前記対象物の対応位置間に介在し、両者間に隙間が生じることを防止する隙間防止部材を設けているとともに、対象物が、天板とパネル部材とを少なくとも具備してなる他のテーブルであり、隙間防止部材が、一方のパネル部材の一縁部に設けた第１の隙間防止部材要素と、他方のパネル部材の一縁部に設けた第２の隙間防止部材要素であり、これら第１、第２の隙間防止部材同士が天板同士の衝き合わせ位置で前記パネル部材の肉厚方向に沿って略重合して隙間を防止するものが挙げられる。
【００１７】
このような構成の場合にも、パネル部材と対象物の対応位置間に生じる隙間を有効に防止することができる。また、この場合には、隙間防止部材が変形可能な部材でなく剛体であっても、前記隙間を有効に防止することができる。
【００１８】
この場合の好適な実施の形態としては、第１の離間防止部材要素が、一方のパネル部材の一縁部から他方のパネル部材の対向縁部に向かって突出した第１の凸部を具備してなり、第２の離間防止部材要素が、他方のパネル部材の一縁部から一方のパネル部材の対向縁部に向かって前記第１の凸部と干渉しない位置に突出した第２の凸部を具備してなり、これら第１、第２の凸部が天板同士の衝き合わせ位置で前記パネル部材の肉厚方向に沿って略重合するものが挙げられる。
【００１９】
さらに、この場合の好適な実施の形態としては、第１の凸部が、パネル部材の肉厚方向に沿って一端から他端側へと突出量が漸次増加する平面視略三角形状のものであり、第２の凸部が、前記第１の凸部の突出量と略等しい割合でその突出量がパネル部材の肉厚方向に沿って他端から一端側へと漸次増加する平面視略三角形状のものが挙げられる。
【００２０】
パネル部材の具体的な実施の形態としては、パネル部材が、下肢空間を隠蔽する位置に設けてなる幕板であるものや、天板から起立して設けてあるデスクトップパネルであるものや、天板の一縁部に、天板の作業領域を拡張するべく天板面と略面一に設けた補助天板であるものが挙げられる。
【００２１】
【実施例】
以下、本発明の一実施例について図面を参照して説明する。
【００２２】
本実施例では、本発明のテーブルＡ（Ａ１、A２…）を会議室等で利用される会議用テーブルに適用した場合について説明する。
【００２３】
テーブルＡは、図１及び図２に示すように、左右一対の脚１と、使用位置から起立位置へとフラップ動作可能に前記左右の脚１に支持させてなる天板２と、天板２の後端側に下肢空間を隠蔽するべく設けたパネル部材たる幕板３とを具備してなる。
【００２４】
脚１は、前後端に設けたキャスタ１１により床面Ｆに対して移動可能に支持されているベース１２と、前記ベース１２の後端側から起立してなる支柱１３と、前記左右の支柱１３間を連結する横架材１４とを具備している。
【００２５】
天板２は、平面視略矩形状のものである。なお、図示しないが、この天板２は、略水平に配置される使用位置と、略鉛直方向に沿って配置される起立位置との間をフラップ動作可能となるように、その左右端部を前記支柱１３の上端近傍に設けた支持機構（図示せず）よって回転可能に支持されている。また、この天板２は、使用位置又は起立位置で既知の構成の図示しない天板ロック機構によってロックされる。
【００２６】
幕板３は、テーブルＡの下肢空間を隠蔽し得るように、前記天板２の下面側の後端部近傍に略鉛直方向に沿って設けてある。この幕板３は、前記天板２の巾寸法よりも若干小さい巾寸法を有するもので、その左右の縁部３ａ、３ｂが天板２の左右の縁部２ａ、２ｂから突出しない位置に設けてある。なお、この幕板３は、天板２が使用位置から起立位置へとフラップ動作を行う際に、適宜の手段により退避位置へと移動するように支持されている。
【００２７】
このような構成のものにおいて、本実施例では、前記テーブルＡと略同様の構成を有する複数のテーブルＡ１、Ａ２…を用意し、これらを必要に応じ直線状やサークル状等に隣設させることによって、大人数が使用できる会議用テーブルを構成するようにしている。そして、その場合に、一方のテーブルＡ１の天板２の左右何れか一方の縁部２ａを他方のテーブルＡ２の天板２の対向する縁部２ｂに略密接させて衝き合わせた際に、両テーブルＡ１、Ａ２の幕板３の対向する縁部３ａ、３ｂ間に隙間が生じることを防止する隙間防止部材４を設けている。
【００２８】
隙間防止部材４は、図１〜図５に示すように、各テーブルＡ１、Ａ２の前記幕板３の縁部３ａ、３ｂから対向する他方のテーブルＡ２、Ａ１の縁部３ｂ、３ａに向かって突出した合成樹脂製の弾性変形可能な弾性体である。前記隙間防止部材４は、前記幕板３の上下寸法に略等しい上下寸法を有するもので、前記幕板３の縁部３ａ、３ｂに適宜の手段で取り付けてある。さらに、前記隙間防止部材４は、内部が中空の伸縮可能な蛇腹状のものであり、通常、その突出端部が、天板２の縁部２ａ、２ｂよりも、外方に突出した位置にある。そして、図５中想像線で示すように、前記天板２の対向する縁部２ａ、２ｂ同士が衝き当たる前に優先して対向する隙間防止部材４同士が衝き当たり、図５中実線で示すように、前記天板２同士が略密接状態で衝き当たる位置で互いに押圧されることにより縮小して幕板３の対向する縁部３ａ、３ｂ間に生じる隙間の形状に略対応した形状となり、前記隙間を有効に解消する。
【００２９】
次に、対をなすテーブルＡ１、Ａ２を隣設配置する場合の手順について説明する。
【００３０】
先ず、図３及び図４に示すように、一方のテーブルＡ１の天板２の縁部２ａに、他方のテーブルＡ２の天板２の縁部２ｂを対面配置する。しかる後、テーブルＡ１、Ａ２の天板２の対向する縁部２ａ、２ｂ同士が衝き当たるように、図３及び図４中矢印で示す方向へ両テーブルＡ１、Ａ２を近付けると、先ず、両テーブルＡ１、Ａ２の隙間防止部材４の突出端同士が、図５中想像線で示すように、前記天板２の対向する縁部２ａ、２ｂ同士が衝き当たる前に優先して衝き当たる。さらに、天板２の対向する縁部２ａ、２ｂ同士が衝き当たるように、図５中矢印で示す方向へ両テーブルＡ１、Ａ２を近付けると、隙間防止部材４は、徐々に相互に押し潰されて縮小し、図５中実線でしめす天板２の対向する縁部２ａ、２ｂ同士が衝き当たる位置で、対向する幕板３間の縁部３ａ、３ｂ間に形成される隙間形状に略等しい形状に変形して、前記隙間を有効に解消する。
【００３１】
このような構成のものであると、天板２同士の縁部２ａ、２ｂを衝き合わせた場合に、前記隙間防止部材４により幕板３間に隙間を生じることを有効に防止することができる。そのため、複数のテーブルＡ１、Ａ２…を直線状、サークル状に隣設させて大型のテーブルを形成する場合にも、下肢空間を隙間なく好適に隠蔽し外観を向上し得るとともに、光漏れなども有効に防止することができる。また、この隙間防止部材４は、弾性変形可能な弾性体であるので、例えば、加工誤差等が原因で製造時に各天板２や幕板３毎に若干の寸法違いが生じたり、床の不陸等によりテーブルＡが若干傾くなどして、幕板３間に形成される隙間形状に差異や変化が生じても、自身が変形することにより前記隙間の形状の差異や変化を有効に吸収することが可能である。したがって、各テーブルＡに柔軟に対応することができることは勿論、床の不陸がある場合にも有効に隙間を解消することができる。また、この隙間防止部材４は、弾性体であるため、緩衝作用が期待でき、特に本実施例のようにテーブルＡが移動可能なものである場合には、バンパー部材の役割を果たし得る。また、幕板３を衝き合わせる場合に、両者間に使用者が指を挟んで怪我をすること等も有効に防止し得る。また、この隙間防止部材４は、既存のテーブルに特別の加工を施すことなく、簡単に適用し得るものである。
【００３２】
隙間防止部材４が、伸縮可能な蛇腹状のものであるので、変形して幕板３間に介在する際に、幕板３の前後方向に大きく飛び出して変形すること等を有効に防止でき、その変形形状を良好なものとし得る。
【００３３】
また、隙間防止部材４が、対向する幕板３の縁部３ａ、３ｂにそれぞれ設けてある対をなすものであるので、隙間防止部材４の幕板３の縁部３ａ、３ｂからの突出量を小さいものとすることができ、テーブルを隣設させずに単独で使用するときの外観を向上させることができる。
【００３４】
なお、本発明における構成は、以上説明したものに限定されないのは勿論である。例えば、上述した実施例では、テーブルが衝き当たる対象物が他のテーブルである場合について説明したが、対象物はこれに限定されず、室内の壁面などであってもよい。さらに、本実施例では、パネル部材が、幕板である場合について説明したが、パネル部材の種類はこれに限定されず、天板面に起立させて使用するデスクトップパネルや、天板の一縁に天板面と略面一に設けられる補助天板であってもよいのは、勿論である。また、テーブルも上述したフラップテーブルに限定されないのは勿論である。
【００３５】
さらに、隙間防止部材４の構成も上述したものに限定されず、以下に示すものであってもよい。
【００３６】
例えば、図６に示すように、隙間防止部材１０４が、内部が中空の弾性体であってもよい。
【００３７】
さらに、図７に示すように、隙間防止部材２０４が、一方の幕板３の縁部３ａに設けた第１の隙間防止部材要素２０４１と、他方の幕板３の縁部３ｂに設けた第２の隙間防止部材２０４２とを具備してなり、前記第１の隙間防止部材要素２０４１から対向する他方の幕板３の縁部３ｂに向かって突出した第１の凸部２０４１ａと、前記第２の隙間防止部材要素２０４２から対向する一方の幕板３の縁部３ａに向かって突出した第２の凸部２０４２ａとが天板２の衝き合わせ位置で干渉しない位置に設けてなり、前記天板２の衝き合わせ位置で互いに前後方向に略重合して幕板３同士間に隙間が生じることを防止するものであってもよい。
【００３８】
具体的には、第１の凸部２０４１ａが、幕板３の前端から後端側に向かって突出量が漸次増加する平面視略直角三角形状のものであり、第２の凸部２０４２ａが、幕板３の後端から前端側に向かって前記第１の凸部２０４１ａの突出量と略等しい割合でその突出量が漸次増加する平面視略直角三角形状のものである。そして、これら第1、第２の凸部２０４１ａ、２０４２ａは、天板２の衝き合わせ位置で斜辺間に形成される対向面同士が当たり合う。なお、第１の凸部２０４１ａの背面２０４１ａａは、一方の幕板３の背面３ｃと略面一に設けてあり、第２の凸部２０４２の前面２０４２ａａは、他方の幕板３の前面３ｄと略面一に設けてある。
【００３９】
このような構成のものであると、隙間防止部材４の第1、第２の凸部２０４１ａ、２０４２ａが、対向する幕板３の縁部３ａ、３ｂから前記隙間を解消し得るように、互い違いに略重合状態で突出してあるので、テーブルを正面視した場合に、幕板3間に隙間が生じることを有効に防止し、テーブル全体の外観の向上及び光漏れ防止等を図ることができる。さらに、このような構成のものである場合、隙間防止部材４は、必ずしも変形可能な変形体である必要はなく、剛体であってもよい。
【００４０】
また、隙間防止部材の他の変形例としては、隙間防止部材が蛇腹状のものであり、天板同士を衝き当てた後に、使用者や施工者が前記隙間防止部材の蛇腹を引き伸ばして隙間を隠蔽し得るものであってもよい。さらに、第１の隙間防止部材要素が、凹部を有してなるとともに、第２の隙間防止部材要素が、前記凹部に嵌合する凸部を有するものであってもよい。
【００４１】
その他の構成も本発明の趣旨を逸脱しない範囲で種々変形が可能である。
【００４２】
【発明の効果】
本発明は、以上説明したような構成で実施され以下に記載されるような効果を奏する。
【００４３】
すなわち、本発明は、パネル部材の一縁部と対象物の対応位置間に隙間が生じることを防止する隙間防止部材を有してなるので、両者間に隙間が生じることを有効に防止してテーブル全体の外観を向上し得るものである。
【００４４】
隙間防止部材が、天板の一縁部と対象物が衝き当たる位置で、両者間に生じる隙間の形状に略対応して変形し、隙間が生じることを防止するものであるならば、自身が変形することにより前記隙間の形状の差異や変化を有効に吸収することが可能であり、各テーブルに柔軟に対応することができることは勿論、床の不陸がある場合にも隙間を有効に解消することができる。
【００４５】
隙間防止部材が、前記パネル部材の一縁部から前記対象物に向かって突出してなり、前記天板の一縁部と対象物が衝き当たる前に優先して前記対象物の対応位置に衝き当たり、前記天板の一縁部と対象物が衝き当たる位置で前記隙間の形状に略対応して弾性変形する弾性体であるならば、弾性体であるため緩衝作用が期待でき、テーブルが移動可能なものである場合には、バンパー部材の役割を果たし得るとともに、パネル部材と対象物を衝き合わせる場合に、両者間に使用者が指を挟んで怪我をすること等を有効に防止し得る。
【００４６】
隙間防止部材が、中空体状のものであるならば、簡単な構成で、隙間の形状の差異や変化に柔軟に対応できるものを提供することができる。
【００４７】
隙間防止部材が、伸縮可能な蛇腹状のものであるならば、変形してパネル部材と対象物間に介在する際に、パネル部材の肉厚方向に大きく飛び出して変形すること等を有効に防止でき、その変形形状を良好なものとし得る。
【００４８】
対象物が、天板とパネル部材とを少なくとも具備してなる他のテーブルであるならば、複数のテーブルを隣設配置して大型のテーブルを形成する際に、天板間の隙間を解消した状態で、パネル部材間の隙間も有効に解消し、テーブル全体の外観を向上させることができる。
【００４９】
隙間防止部材が、一方のパネル部材の一縁部に設けた第１の隙間防止部材要素と、他方のパネル部材の一縁部に設けた第２の隙間防止部材要素であり、これら第１、第２の隙間防止部材同士が天板同士の衝き合わせ位置で前記パネル部材の肉厚方向に沿って略重合して隙間を防止するものである場合にも、パネル部材間に生じる隙間を有効に防止することができる。また、この場合には、隙間防止部材が弾性変形可能な弾性体でなく剛体であっても、前記隙間を有効に解消することができる。
【００５０】
第１の離間防止部材要素が、一方のパネル部材の一縁部から他方のパネル部材の対向縁部に向かって突出した第１の凸部を具備してなり、第２の離間防止部材要素が、他方のパネル部材の一縁部から一方のパネル部材の対向縁部に向かって前記第１の凸部と干渉しない位置に突出した第２の凸部を具備してなり、これら第１、第２の凸部が天板同士の衝き合わせ位置で前記パネル部材の肉厚方向に沿って略重合するものであるならば、簡単な構成で両者の干渉を防止しつつ前記隙間を有効に解消し得る。
【００５１】
第１の凸部が、パネル部材の肉厚方向に沿って一端から他端側へと突出量が漸次増加する平面視略三角形状のものであり、第２の凸部が、前記第１の凸部の突出量と略等しい割合でその突出量がパネル部材の肉厚方向に沿って他端から一端側へと漸次増加する平面視略三角形状のものであるならば、第１、第２の凸部を同じ部材により構成して適用することもでき、簡単な構成で両者の干渉を防止しつつ前記隙間を有効に解消し得る。
【００５２】
パネル部材が、下肢空間を隠蔽する位置に設けてなる幕板であるならば、幕板と対象物間の隙間を有効に解消し、隙間を介して向こう側の景色が露見することや、光漏れなどを有効に防止することができる。
【００５３】
パネル部材が、天板から起立して設けてあるデスクトップパネルであるならば、デスクトップパネルと対象物間の隙間を有効に解消し、隙間を介して向こう側の景色が露見することや、光漏れを有効に防止することができる。
【００５４】
パネル部材が、天板の一縁部に、天板の作業領域を拡張するべく天板面と略面一に設けた補助天板であるならば、補助天板と対象物間の隙間を有効に解消し、外観を向上することは勿論、隙間を介して筆記具等が落下することを有効に防止することができる。
【図面の簡単な説明】
【図１】本発明の一実施例を示す隣設したテーブルを後方から見た全体斜視図。
【図２】同背面図。
【図３】同要部を示す平面図。
【図４】同図３に対応する要部を示す背面図。
【図５】同作用を説明するための背面図。
【図６】同隙間防止部材の一変形例を示す平面図。
【図７】同他の変形例を示す平面図。
【符号の説明】
２…天板
２ａ…縁部
２ｂ…縁部
３…パネル部材（幕板）
３ａ…縁部
３ｂ…縁部
４、１０４、２０４…隙間防止部材
Ａ（Ａ１、Ａ２）…テーブル
【図１】
0003661551.tif 000002
【図２】
0003661551.tif 000003
【図３】
0003661551.tif 000004
【図４】
0003661551.tif 000005
【図５】
0003661551.tif 000006
【図６】
0003661551.tif 000007
【図７】
0003661551.tif 000008